(57)【要約】【課題】  バックライトアセンブリーの組立工程を簡素化し、輝度を向上させて、光効率を最大化した、表示装置を提供する。【解決手段】  画像を表示する表示パネルと、表示パネルに光を供給する光源ユニットと、光源ユニットに対向する入射面及び表示パネルに対向する射出面を有し、光源ユニットから射出した光を表示パネルにガイドする導光部、導光部の周縁に沿って表示パネルを収納する収納空間を形成する側壁部、及び導光部を固定するための固定部を有する導光ユニットとを含む。【選択図】  図２
2006285171.tif 000002
【特許請求の範囲】
【請求項１】
画像を表示する表示パネルと、
前記表示パネルに光を供給する光源ユニットと、
前記光源ユニットに対向する入射面及び前記表示パネルに対向する射出面を有し、前記光源ユニットから射出した光を前記表示パネルにガイドする導光部、前記導光部の周縁に沿って前記表示パネルを収納する収納空間を形成する側壁部、及び前記導光部を固定するための固定部を有する導光ユニットと、
を含む表示装置。
【請求項２】
前記導光ユニットは、前記射出面の周縁に沿って形成された１つ以上の光漏れ防止溝を有する、請求項１に記載の表示装置。
【請求項３】
前記導光ユニットは、前記光源ユニットの少なくとも一部を収納することができるように前記入射面に形成された収納溝を有する、請求項１に記載の表示装置。
【請求項４】
前記射出面の反対面のうちで、前記光源ユニットから予め設定された隔離距離だけ離れた部分にパターンを形成した、請求項１に記載の表示装置。
【請求項５】
前記側壁部が形成する収納空間に収納される光学シート類をさらに含み、
前記導光ユニット及び前記光学シート類の周縁に沿って光遮断膜を配置した、請求項１に記載の表示装置。
【請求項６】
前記導光ユニットが有する側面のうちで、前記導光部の射出面を除く１つ以上の側面に反射フィルムを配置した、請求項１に記載の表示装置。
【請求項７】
前記表示パネルに駆動信号を供給する印刷回路基板をさらに含む、請求項１に記載の表示装置。
【請求項８】
前記印刷回路基板は締結孔を有し、前記導光ユニットの固定部が前記締結孔に締結されて互いに結合する、請求項７に記載の表示装置。
【請求項９】
前記導光ユニットと結合する前記印刷回路基板の少なくとも一部の面に実装された反射板をさらに含む、請求項８に記載の表示装置。
【請求項１０】
前記印刷回路基板に前記光源ユニットを直接実装した、請求項７に記載の表示装置。
【請求項１１】
前記光源ユニット周辺の前記印刷回路基板上に形成された反射膜をさらに含む、請求項１０に記載の表示装置。
【請求項１２】
前記反射膜はシルクコーティングによって形成される、請求項１１に記載の表示装置。
【請求項１３】
前記反射膜は銀ペースト（Ag paste）を含む材質からなる、請求項１１に記載の表示装置。
【請求項１４】
前記導光ユニットと結合し、締結溝が形成されたモールドフレームをさらに含み、
前記導光ユニットの固定部は、前記締結溝に結合されるようにフック形状である、請求項１に記載の表示装置。
【請求項１５】
前記固定部は、前記側壁部から前記導光部と平行な方向に突出した突出部、及び前記突出部から前記モールドフレームの方向に折曲延長された係止部を含む、請求項１４に記載の表示装置。
【請求項１６】
前記導光ユニットと前記モールドフレームとの間に配置され、前記モールドフレームと共に前記導光ユニットに結合する印刷回路基板、及び前記導光ユニットと結合する前記印刷回路基板の少なくとも一部の面に実装された反射板をさらに含む、請求項１４に記載の表示装置。
【請求項１７】
前記光源ユニットは発光ダイオードを含む、請求項１に記載の表示装置。
【発明の詳細な説明】
【技術分野】
【０００１】
本発明は表示装置に関し、より詳しくは、バックライトアセンブリーの組立工程を簡素化し、輝度を向上させて、光効率を最大化した、表示装置に関する。
【背景技術】
【０００２】
表示装置とは、外部から映像信号情報の伝達を受けて画像を形成する装置である。近来になって急速に発展している半導体技術により、表示装置がより小型化及び軽量化されつつあり、このような表示装置に対する需要が爆発的に増加している。一般に、小型化及び軽量化された表示装置に使用される平板型表示パネルの種類は、電界放出表示素子（ＦＥＤ；Flat Emission Display）、蛍光表示管（ＶＦＤ；Vacuum Fluorescent Display）、液晶表示パネル（ＬＣＤ；Liquid Crystal Display）、ＯＬＥＤ（organic light emitting display）、及びプラズマ表示パネル（ＰＤＰ；Plasma Display Panel）などがある。このような表示パネルは、種類によって細部の構造が異なるが、通常は、互いに対向するように設置される一対の基板からなり、内部が高真空状態に維持される。
【０００３】
この中でも、近来になって脚光を浴びている液晶表示パネルを利用した表示装置は、小型化、軽量化、及び低消費電力化などの利点を有しており、現在は、表示装置が必要なほとんど全ての情報処理機器に装着されて使用されている。
一般的な液晶表示装置（ＬＣＤ）は、液晶の特定の分子配列に電圧を印加して異なる分子配列に変換させ、このような分子配列によって発光する液晶セルの複屈折性、旋光性、二色性、及び光散乱特性などの光学的性質の変化を視覚の変化に変換するものであって、液晶セルによる光の変調を利用して情報を表示する受光型表示装置である。
【０００４】
受光型表示装置である液晶表示装置は、バックライトアセンブリーから光の供給を受けて、液晶表示パネルで画像を表示する。バックライトアセンブリーの光源ユニットから射出された光は、導光板を通じてガイドされ、導光板上に位置した光学シート類を経て輝度が向上して、液晶表示パネルに供給される。
しかし、従来のバックライトアセンブリーは、光源ユニット、導光板、光学シート類、及びこれらを収納して支持するモールドフレームなど多くの構成要素からなる。
【０００５】
そのため、バックライトアセンブリーの組立工程が複雑になって、組立作業時間が増加し、組立段階で不良が発生する確率が高くなるという問題点がある。また、外部の衝撃などでバックライトアセンブリーの各構成要素間の位置がずれると、光源ユニットから射出された光が効果的に活用されないという問題点がある。特に、一例として、ホルダーの前後面に各々取り付けられる２つの表示パネルを有するホルダー型携帯電話に使用される表示装置の場合、バックライトアセンブリーの構造がより複雑になり、前記問題点がさらに深刻になる。
【０００６】
また、光源ユニットから射出された光が導光板に到達して導光板によってガイドされる前までの光の経路で光漏れ現象が起こって、光の損失が発生する問題点もある。
【発明の開示】
【発明が解決しようとする課題】
【０００７】
本発明の課題は、バックライトアセンブリーの組立工程を簡素化し、輝度を向上させて、光効率を最大化した、表示装置を提供することにある。
【課題を解決するための手段】
【０００８】
本発明による表示装置は、画像を表示する表示パネル、前記表示パネルに光を供給する光源ユニット、及び前記光源ユニットに対向する入射面及び前記表示パネルに対向する射出面を有し、前記光源ユニットから射出した光を前記表示パネルにガイドする導光部、前記導光部の周縁に沿って前記表示パネルを収納する収納空間を形成する側壁部、及び前記導光部を固定するための固定部を有する導光ユニットを含む。
【０００９】
前記導光ユニットは、前記射出面の周縁に沿って形成された１つ以上の光漏れ防止溝を有するのが好ましい。
前記導光ユニットは、前記光源ユニットの少なくとも一部を収納することができるように前記入射面に形成された収納溝を有するのが好ましい。
前記射出面の反対面のうちで、前記光源ユニットから予め設定された隔離距離だけ離れた部分にパターンを形成するのが好ましい。
【００１０】
前記側壁部が形成する収納空間に収納される光学シート類をさらに含み、前記導光ユニット及び前記光学シート類の周縁に沿って光遮断膜を配置するのが好ましい。
前記導光ユニットが有する側面のうちで、前記導光部の射出面を除く１つ以上の側面に反射フィルムを配置するのが好ましい。
本発明による表示装置は、前記表示パネルに駆動信号を供給する印刷回路基板をさらに含むのが好ましい。
【００１１】
ここで、前記印刷回路基板は締結孔を有し、前記導光ユニットの固定部が前記締結孔に締結されて互いに結合するのが好ましい。
また、前記導光ユニットと結合する前記印刷回路基板の少なくとも一部の面に実装された反射板をさらに含むのが好ましい。
なお、前記印刷回路基板に前記光源ユニットを直接実装することもできる。
【００１２】
そして、前記光源ユニット周辺の前記印刷回路基板上に形成された反射膜をさらに含むのが好ましい。
前記反射膜はシルクコーティングによって形成されるのが好ましい。
前記反射膜は銀ペースト（Ag paste）を含む材質からなるのが好ましい。
本発明による表示装置は、前記導光ユニットと結合し、締結溝が形成されたモールドフレームをさらに含み、前記導光ユニットの固定部は、前記締結溝に結合されるようにフック形状であるのが好ましい。
【００１３】
ここで、前記固定部は、前記側壁部から前記導光部と平行な方向に突出した突出部、及び前記突出部から前記モールドフレームの方向に折曲延長された係止部を含むのが好ましい。
また、前記導光ユニットと前記モールドフレームとの間に配置され、前記モールドフレームと共に前記導光ユニットに結合する印刷回路基板、前記導光ユニットと結合する前記印刷回路基板の少なくとも一部の面に実装された反射板をさらに含むのが好ましい。
【００１４】
前記光源ユニットは発光ダイオードを含むのが好ましい。
【発明の効果】
【００１５】
本発明による表示装置は、光源ユニットからの光を表示パネルにガイドすると共に、表示パネル及び光学シート類を収納して安定的に支持して、印刷回路基板またはモールドフレームに簡単に固定結合することができる。また、光漏れ防止溝によって光の損失を減少させて、輝度を向上させることができる。
また、光源ユニット周辺の印刷回路基板上に反射膜が形成されるので、光源ユニットから射出した光が反射板が形成された所まで到達する前に発生する可能性がある光の損失を抑制することによって、光効率を最大化することができる。
【発明を実施するための最良の形態】
【００１６】
以下、本発明の実施例による表示装置を、添付図面を参照して説明する。添付図面では、実施例としてツイン（twin）型バックライトアセンブリーが使用された表示装置、つまりデュアルホルダー型携帯電話を概略的に示している。このような本発明による実施例は、単に本発明を例示するためのものであり、本発明がこれに限定されるわけではない。
また、説明に先立って、各実施例において、同一の構造の構成要素については同一の符号を付けて代表的に第１実施例で説明し、その他の実施例では第１実施例と異なる構成要素についてのみ説明する。
【００１７】
そして、本発明を明確に説明するために、説明上不必要な部分は省略し、明細書全体を通して同一または類似した構成要素については、同一の符号を付けた。
以下、図１〜図４を参照して、本発明の第１実施例を説明する。
図１に示したように、本発明の第１実施例による表示装置１０は、大まかに、表示パネルアセンブリー２００、表示パネル２１０、２２０に各々光を供給するバックライトアセンブリー３００、４００を含む。この他に、これらを固定支持するためにトップシャーシ（top chassis）５１０、モールドフレーム（mold frame）５５０、及びボトムシャーシ（bottom chassis）５２０をさらに含む。
【００１８】
表示パネルアセンブリー２００は、主表示パネル２１０、副表示パネル２２０、第１可撓性回路基板２３０、第２可撓性回路基板２４０、印刷回路基板（printed circuit board、ＰＣＢ）２５０、及び集積回路チップ２６０を含む。集積回路チップ２６０はＣＯＦ（chip on film）またはＴＣＰ（tape carrier package）で形成することができる。
図１には２つの表示パネル２１０、２２０を示したが、これは単に本発明を例示するためのものであり、本発明がこれに限定されるわけではない。したがって、２つ以上、つまり少なくとも２つの表示パネルを含む構成であればよい。また、図１には表示パネル２１０、２２０として２つの液晶表示パネルを示したが、これは単に本発明に使用される表示パネルを例示するためのものであり、本発明がこれに限られるわけではない。したがって、１つ以上の液晶表示パネルを使用したり、他の受光型表示パネルを使用してもよい。
【００１９】
主表示パネル２１０は、主表示パネル２１０に対向する副表示パネル２２０より大きい。表示装置１０は、特にホルダー型携帯電話に使用することができるが、主表示パネル２１０は携帯電話ホルダーの内面に位置し、副表示パネル２２０は携帯電話ホルダーの外面に位置する。したがって、ホルダーを閉じた状態では画面の大きさが小さい副表示パネル２２０を通じて時間など比較的少量の情報を得ることができ、相手方と通話をする場合には、ホルダーを開いた状態で画面の大きさが大きい主表示パネル２１０を通じて比較的多量の情報を得ることができる。
【００２０】
以下、液晶表示パネルである主表示パネル２１０の内部構造について、詳細に説明する。副表示パネル２２０の構造は主表示パネル２１０の構造と同一なので、その詳細な説明は省略する。
主表示パネル２１０は、複数の薄膜トランジスタ（thin film transistor、ＴＦＴ）が形成された第１薄膜トランジスタ基板２１１、第１薄膜トランジスタ基板２１１に対向配置された第１カラーフィルター基板２１２、及びこれら両基板２１１、２１２の間に注入された液晶（図示せず）を含む。図示してはいないが、第１カラーフィルター基板２１２の前面及び第１薄膜トランジスタ基板２１１の背面には偏光板が取り付けられて、バックライトアセンブリー３００から供給された可視光線を線偏光させる。
【００２１】
第１薄膜トランジスタ基板２１１は、透明な絶縁基板上にマトリックス形態に形成された複数のゲート線及び複数のデータ線、ゲート線及びデータ線が交差する領域に形成された薄膜トランジスタ、及び薄膜トランジスタと電気的に接続され、導電性材質で透明なＩＴＯ（indium tin oxide、インジウムチンオキシド）からなる画素電極を含む。薄膜トランジスタは、ソース端子がデータ線と接続され、ゲート端子がゲート線と接続され、ドレイン端子が画素電極と接続されている。
【００２２】
したがって、電気的な信号情報が印刷回路基板２５０から第１可撓性回路基板２３０を通じて主表示パネル２１０のゲート線及びデータ線に伝達されて、薄膜トランジスタのソース端子及びゲート端子に入力され、これら信号情報によって、薄膜トランジスタは、画素の形成に必要な電気的な信号をターンオンまたはターンオフして、ドレイン端子に接続された画素電極をスイッチングする。
【００２３】
一方、第１薄膜トランジスタ基板２１１に対向して、その上に第１カラーフィルター基板２１２が配置されている。第１カラーフィルター基板２１２は、光が通過することにより所定の色を発現する色画素である３原色（赤色、緑色、及び青色、または青緑色、紫紅色、及び黄色）の画素が形成された基板であって、通常、全面にかけてＩＴＯからなる共通電極が形成される。スイッチング素子である薄膜トランジスタがターンオンすると、画素電極と共通電極との間に電界が形成される。このような電界（electric field）によって、第１薄膜トランジスタ基板２１１と第１カラーフィルター基板２１２との間に注入された液晶の配列角が変化して、これにより変更される光透過度によって、所望の画素を得るようになる。
【００２４】
液晶の配列角及び液晶の配列時期を制御するために、第１薄膜トランジスタ基板２１１のゲート線及びデータ線は、駆動信号及びタイミング信号の印加を受ける。集積回路チップ２６０は、第１薄膜トランジスタ基板２１１上に実装されて、保護膜で囲まれている。集積回路チップ２６０は、第１可撓性回路基板２３０を通じて印刷回路基板２５０から駆動信号の伝達を受けて、主表示パネル２１０を駆動するための信号であるデータ駆動信号、ゲート駆動信号、そしてこれら信号を適切な時期に印加するための複数のタイミング信号を生成して、ゲート駆動信号及びデータ駆動信号を各々主表示パネル２１０のゲート線及びデータ線に印加する。
【００２５】
副表示パネル２２０は、第２薄膜トランジスタ基板２２１及び第２カラーフィルター基板２２２を含み、主表示パネル２１０と同一の方法で、第２可撓性回路基板２４０を通じて印刷回路基板２５０から伝達された駆動信号を、また他の集積回路チップ（図示せず）を通じて伝達を受ける。
第１可撓性回路基板２３０及び第２可撓性回路基板２４０に信号を伝達する印刷回路基板２５０には複数の抵抗素子２５５が実装されていて、端部には携帯電話コネクタ２５６が実装されている。第１可撓性回路基板２３０は、携帯電話コネクタ２５６を通じて携帯電話用ホルダー画面の開閉程度による信号の印加を受ける。第１可撓性回路基板２３０は、主表示パネル２１０及び印刷回路基板２５０を接続する。図１では、説明の便宜上、第１可撓性回路基板２３０が連結していない状態で示しているが、実際には連結されている。
【００２６】
バックライトアセンブリーは、主表示パネル２１０と副表示パネル２２０との間で両表示パネル２１０、２２０に光源ユニット３１０、４１０から射出される光を各々供給して、互いに接触している第１バックライトアセンブリー３００及び第２バックライトアセンブリー４００を含む。本発明の第１実施例では、第１バックライトアセンブリー３００はモールドフレーム５５０に収納され、第２バックライトアセンブリー４００は印刷回路基板２５０上に結合形成される。
【００２７】
第１バックライトアセンブリー３００は、主表示パネル２１０に光を供給する第１光源ユニット３１０、第１光源ユニット３１０から射出された光を主表示パネル２１０にガイドする導光板３２０、光を反射させる反射シート３４０、導光板３２０から射出された光の輝度を向上させて主表示パネル２１０に供給する第１光学シート類３３０、及びこれらを収納して支持するモールドフレーム５５０を含む。図１には、第１光源ユニット３１０として可撓性基板３１２上に実装された発光ダイオード（light emitting diode、ＬＥＤ）３１１を示したが、これは単に本発明を例示するためのものであり、本発明がこれに限られるわけではない。したがって、第１光源ユニット３１０としてランプなど他の光源を使用することもでき、発光ダイオード３１１をモジュール化した線光源及び面光源を使用することもできる。また、発光ダイオード３１１の数を３つにして示したが、これは単に本発明を例示するためのものであり、本発明がこれに限られるわけではない。したがって、必要に応じて発光ダイオード３１１の数を多様にすることができる。可撓性基板３１２は印刷回路基板２５０と接続され、これから光源制御信号の印加を受けて、光源ユニット３１０を駆動する。
【００２８】
第１光学シート類３３０は、導光板３２０から主表示パネル２１０に向かう光が部分的に密集して主表示パネル２１０に染みが発生しないように光を拡散して光の均一性をより向上させる拡散シート、及び拡散シートを通過した光が垂直に進むことができるようにして輝度を向上させるプリズムシートを含む。また、ホコリや傷に敏感な拡散シート及びプリズムシートを保護して外部の衝撃や異物の流入を防止する保護シートをさらに含むことができる。
【００２９】
反射シート３４０は、導光板３２０を通じて主表示パネル２１０の反対方向に射出する光を再び導光板３２０に反射させることによって、光の損失を減少させて、光の拡散を促し、主表示パネル２１０に向かう光の均一性を向上させるのに寄与する。
モールドフレーム５５０は、第１光源ユニット３１０、導光板３２０、反射シート３４０、及び第１光学シート類３３０を収納して支持し、これと共に主表示パネル２１０も収納して支持する。このような構成要素を収納したモールドフレーム５５０の上部及び下部には各々トップシャーシ５１０及びボトムシャーシ５２０が配置されて、これらはモールドフレーム５５０の側面に結合される。
【００３０】
第２バックライトアセンブリー４００は、本発明によって、副表示パネル２２０に光を供給する第２光源ユニット４１０、及び印刷回路基板２５０に結合され、第２光源ユニット４１０から射出した光を副表示パネル２２０にガイドして、第２光学シート類４３０及び副表示パネル２２０を収納して支持する導光ユニット４２０を含む。そして、導光ユニット４２０と印刷回路基板２５０との間に配置された反射板４４０をさらに含むことができる。導光ユニット４２０と直接結合された印刷回路基板２５０は、ボトムシャーシ５２０の下部に配置される。
【００３１】
導光ユニット４２０と結合される印刷回路基板２５０には、所定の締結孔２５１が形成されている。そして、導光ユニット４２０と結合される印刷回路基板２５０の少なくとも一部の面に反射板４４０が実装される。反射板４４０は、両面テープまたは接着剤を利用して印刷回路基板２５０上に実装される。
また、導光ユニット４２０と結合される方向の印刷回路基板２５０の面には、第２光源ユニット４１０を直接実装する。第２光源ユニット４１０は発光ダイオードを含み、はんだ付けによって印刷回路基板２５０上に直接実装することができる。
【００３２】
印刷回路基板２５０で第２光源ユニット４１０が実装された周辺には、反射膜２５３を形成する。反射膜２５３は、シルクコーティングされたり銀ペースト（Ag paste）を含む材質からなり、白色または銀色を帯びて光を反射する。このような反射膜２５３は、第２光源ユニット４１０から射出した光が導光ユニット４２０を通じて副表示パネル２２０に射出する過程で発生する可能性がある光の損失を抑制する。特に、第２光源ユニット４１０から射出した光が反射板４４０が形成された所まで到達する前に発生する可能性がある光の損失を抑制する。
【００３３】
このように、本実施例による表示装置１０は、印刷回路基板２５０上に第２光源ユニット４１０が直接実装されるので、組立工程を簡素化することができる。また、印刷回路基板２５０上に反射膜２５３が形成されて、第２光源ユニット４１０から射出された光が反射板４４０が形成された所に到達する前、つまり導光ユニット４２０によってガイドされる前までの光の経路で発生する可能性がある光の損失を抑制することによって、輝度を向上させて、光効率を最大化することができる。
【００３４】
図２に示したように、導光ユニット４２０は、第２光源ユニット４１０に対向する入射面及び副表示パネル２２０（図面符号２２０は図１に図示した）に対向する射出面を有し、第２光源ユニット４１０から射出した光を副表示パネル２２０にガイドする導光部４２１、導光部４２１の周縁に沿って副表示パネル２２０の方向に一体的にのびて、第２光学シート類４３０（図面符号４３０は図１に図示した）及び副表示パネル２２０を収納する収納空間を形成する側壁部４２２、及び導光部４２１を固定するための固定部４２３を含む。ここで、固定部４２３は、印刷回路基板２５０の締結孔２５１に嵌合されて結合される柱形状に構成される。このような導光ユニット４２０は、強度が高くて容易に変形したり壊れたりせず透過率が良い、ポリメチルメタクリレート（Polymethylmethacrylate、ＰＭＭＡ）またはポリカーボネート（Poly Carbonate；ＰＣ）を含む材質からなる。
【００３５】
導光部４２１は、射出面の周縁に沿って形成された１つ以上の光漏れ防止溝４２５、及び第２光源ユニット４１０の少なくとも一部を収納することができるように入射面に形成された収納溝４２４を含む。光漏れ防止溝４２５は、射出面に垂直な方向に導光部４２１に貫通形成することができ、また陥没形成することもできる。
図３に示したように、光漏れ防止溝４２５は、スネルの法則（Snell's low）を利用して第２光源ユニット４１０から導光部４２１に流入した光が導光部４２１の側面から漏れるのを抑制して、全ての光が最大限射出面に射出されるようにする。スネルの法則によれば、屈折率が大きい物質から小さい物質に光が進む場合には、容易に透過できずに全反射が起こりやすい。つまり、導光部４２１の射出面の周縁に沿って光漏れ防止溝４２５が形成される場合、導光部４２１の側面に向かう光は導光部４２１より屈折率が小さい光漏れ防止溝４２５内の大気と接するので、外部に漏れずに再び導光部４２１に全反射される。
【００３６】
また、導光部４２１は、射出面の反対面のうちの第２光源ユニット４１０から所定の隔離距離だけ離れた一部に形成された所定のパターン４２６を有する。つまり、射出面の反対面のうちの第２光源ユニット４１０から近い一部にはパターンが形成されない。射出面の反対面のうちのパターンが形成されない部分の長さは、スネルの法則によって、入射面に入射された光が導光部４２１で全体的に均一に拡散するように考慮して設定される。
【００３７】
このように、本発明の第１実施例による導光ユニット４２０は、第２光源ユニット４１０からの光を副表示パネル２２０にガイドすると共に、副表示パネル２２０及び第２光学シート類４３０を収納して支持して、印刷回路基板２５０に簡単に固定結合することができる。これにより、組立工程を簡素化することができる。また、導光ユニット４２０に形成された光漏れ防止溝４２５が光の損失を減少させるので、輝度を向上させることができる。
【００３８】
図４に示したように、側壁部４２２が形成する収納空間に収納された第２光学シート類４３０及び導光部４２１の周縁に沿って光遮断膜４２８によって覆うことができ、導光ユニット４２０が有する側面のうちで導光部４２１の射出面を除いた１つ以上の側面に反射フィルム４２９が配置される。ここで、反射フィルム４２９の代わりに、反射膜パターンを印刷により形成することもできる。光遮断膜４２８及び反射フィルム４２９は、導光ユニット４２０の周辺部に光が漏れるのを抑制して、光の損失を減少することができるようにする。また、光遮断膜４２８は、ＰＳＡ（pressure sensitive adhesive、減圧性接着剤）を含む材質からなり、導光ユニット４２０の収納空間に収納された光学シート類４２０の浮き上がりを防止することもできる。
【００３９】
第２光学シート類４３０は、前記第１バックライトアセンブリー３００の第１光学シート類３３０と同一の構造であり、反射板４４０は、第１バックライトアセンブリー３００の反射シート３３０とは異なって印刷回路基板２５０上に直接実装されるが、反射シート３３０と同一の作用及び効果を有する。
それでは、図５を参照して、本発明の第２実施例を説明する。
【００４０】
図５に示したように、本発明の第２実施例による表示装置１０は、フック形状の固定部４２３を有する導光ユニット４２０、及び固定部４２３と結合されるように形成された締結溝５５５を有するモールドフレーム５５０を含む。導光ユニット４２０の固定部４２３は、側壁部４２２から導光部４２１と平行な方向に延長された突出部４２３ａ、及び突出部４２３ａからモールドフレーム５５０の方向に折曲延長された係止部４２３ｂを含む。そして、モールドフレーム５５０と導光ユニット４２０との間に配置された印刷回路基板２５０及びボトムシャーシ５２０は、導光ユニット４２０の固定部４２３がモールドフレーム５５０の締結溝５５５と結合されるように形成された貫通溝２５２、５２１を各々有する。モールドフレーム５５０及び導光ユニット４２０の結合によって、これらの間に配置されたボトムシャーシ５２０及び印刷回路基板２５０も、これらと共に結合される。第１実施例と同様に、導光ユニット４２０と結合される印刷回路基板２５０の少なくとも一部の面には反射板４４０が実装されて、第２光源ユニット４１０が実装された周辺部には反射膜２５３が形成される。
【００４１】
これにより、第２光源ユニット４１０からの光を副表示パネル２２０にガイドすると共に、副表示パネル２２０及び第２光学シート類４３０を収納して支持する導光ユニット４２０は、本発明の第２実施例によって、モールドフレーム５５０と簡単に固定結合することができる。さらに、モールドフレーム５５０、ボトムシャーシ５２０、印刷回路基板２５０、及び導光ユニット４２０の全てをより簡単に結合することができる。
【００４２】
第１実施例及び第２実施例では、本発明による導光ユニットの構造が第２バックライトアセンブリーにだけ適用されたが、これは単に本発明による表示装置の構造及び配置を例示するためのものであり、本発明がこれに限定されるわけではない。したがって、本発明による導光ユニットの構造は第１バックライトアセンブリーにも適用でき、その他の表示装置の構造及び配置も多様に変形することができる。
【００４３】
本発明を実施例の記載によって説明したが、特許請求の範囲の概念及び範囲を逸脱しない限り、多様な修正及び変形が可能であるということが、本発明が属する技術分野に従事する者には容易に理解される。
【図面の簡単な説明】
【００４４】
【図１】本発明の第１実施例による表示装置の分解斜視図である。
【図２】図１の導光ユニット及び印刷回路基板の結合状態を示した斜視図である。
【図３】図１の導光ユニットを経る光の経路を概略的に示した図面である。
【図４】図１の導光ユニットに付着される光遮断膜及び反射フィルムを示した斜視図である。
【図５】本発明の第２実施例による導光ユニット、モールドフレーム、ボトムシャーシ、及び印刷回路基板の結合状態を示した斜視図である。
【符号の説明】
【００４５】
１０  表示装置
２００  表示パネルアセンブリー
２１０、２２０  表示パネル
２１１  第１薄膜トランジスタ基板
２１２  第１カラーフィルター基板
２２１  第２薄膜トランジスタ基板
２２２  第２カラーフィルター基板
２３０  第１可撓性回路基板
２４０  第２可撓性回路基板
２５０  印刷回路基板
２５１  締結孔
２５２、５２１  貫通溝
２５３、４４０  反射板
２５５  抵抗素子
２５６  携帯電話コネクタ
２６０  集積回路チップ
３００、４００  バックライトアセンブリー
３１０、４１０  発光ユニット
３１１  発光ダイオード
３１２  可撓性基板
３２０  導光板
３３０  第１光学シート類
３４０  反射シート
４２０  導光ユニット
４２１  導光部
４２２  側壁部
４２３  固定部
４２４  収納溝
４２５  光漏れ防止溝
４２６  パターン
４２８  光遮断膜
４２９  反射フィルム
４３０  第２光学シート類
５１０  トップシャーシ
５２０  ボトムシャーシ
５５０  モールドフレーム
５５５  締結溝
【図１】
2006285171.tif 000003
【図２】
2006285171.tif 000004
【図３】
2006285171.tif 000005
【図４】
2006285171.tif 000006
【図５】
2006285171.tif 000007